(57)【特許請求の範囲】
【請求項１】
円環状のコアバックから周方向に間隔をおいてそれぞれ径方向内方に延設された各ティースによって形成されたスロットを有する固定子コア、及び各前記スロットに巻装された固定子コイルを有する固定子と、
この固定子の内周側に前記固定子コアと同軸に回転可能に配設された回転子と、を備え、
前記回転子は、回転子コアと、この回転子コアの外周側に周方向に間隔をおいて複数埋設され１極当り２個以上の矩形状をした永久磁石からなる永久磁石群と、を有する回転電機であって、
各前記永久磁石群は、１極の周方向中心に対して対称に配置され、
前記回転子は、対向した前記永久磁石のそれぞれの最外周側端部と回転子の軸心とを結ぶ線間の平面角である磁石両端角がそれぞれ異なる複数の回転子部を積層して構成され、かつ軸線の中心部に向かうに従ってより前記磁石両端角の大きな前記回転子部が配置されており、
複数の前記回転子部は、角大回転子部、及びこの角大回転子部よりも前記磁石両端角が小さい角小回転子部の２種類で構成され、前記軸線に沿って前記角小回転子部、前記角大回転子部及び前記角小回転子部の順序で積層されており、
コギングトルクが最小となる前記磁石両端角の値をθとすると、前記角小回転子部の前磁石両端角の値は、前記θよりも小さく、前記角大回転子部の前記磁石両端角の値は、前記θよりも大きい回転電機。
【請求項２】
複数の前記回転子部は、前記角大回転子部よりも前記磁石両端角が小さく前記角小回転子部よりも前記磁石両端角が大きい角中回転子部をさらに備え、前記軸線に沿って前記角小回転子部、前記角中回転子部、前記角大回転子部、前記角中回転子部及び前記角小回転子部の順序で積層されている請求項１に記載の回転電機。
【請求項３】
円環状のコアバックから周方向に間隔をおいてそれぞれ径方向内方に延設された各ティースによって形成されたスロットを有する固定子コア、及び各前記スロットに巻装された固定子コイルを有する固定子と、
この固定子の内周側に前記固定子コアと同軸に回転可能に配設された回転子と、を備え、
前記回転子は、軸線方向に沿って貫通した通風路を有する回転子コアと、この回転子コアの外周側に周方向に間隔をおいて複数埋設され１極当り２個以上の矩形状をした永久磁石からなる永久磁石群と、を有する回転電機であって、
各前記永久磁石群は、１極の周方向中心に対して対称に配置され、
前記回転子は、対向した前記永久磁石のそれぞれの最外周側端部と回転子の軸心とを結ぶ線間の平面角である磁石両端角がそれぞれ異なる複数の回転子部を積層して構成され、かつ前記通風路の上流から下流に向かうに従ってより前記磁石両端角の大きな前記回転子部が配置されており、
複数の前記回転子部は、角大回転子部、及びこの角大回転子部よりも前記磁石両端角が小さい角小回転子部の２種類で構成され、前記上流から前記下流に沿って前記角小回転子部及び前記角大回転子部の順序で積層されており、
コギングトルクが最小となる前記磁石両端角の値をθとすると、前記角小回転子部の前記磁石両端角の値は、前記θよりも小さく、前記角大回転子部の前記磁石両端角の値は、前記θよりも大きい回転電機。
【請求項４】
前記永久磁石群は、Ｖ字形状であって、２個の永久磁石で構成されている請求項１〜３の何れか１項に記載の回転電機。
【請求項５】
前記永久磁石群は、凹部形状であって、３個の永久磁石で構成されている請求項１〜３の何れか１項に記載の回転電機。
【請求項６】
円環状のコアバックから周方向に間隔をおいてそれぞれ径方向内方に延設された各ティースによって形成されたスロットを有する固定子コア、及び各前記スロットに巻装された固定子コイルを有する固定子と、
この固定子の内周側に前記固定子コアと同軸に回転可能に配設された回転子と、を備え、
前記回転子は、回転子コアと、この回転子コアの外周側に周方向に間隔をおいて複数埋設され１極当り１個の矩形状をした永久磁石と、を有する回転電機であって、
前記永久磁石は、垂直二等分線が前記回転子の軸心を通るように配置され、
前記回転子は、前記永久磁石の最外周側の両端部と前記回転子の軸心とをそれぞれ結ぶ線間の平面角である磁石両端角が異なる複数の回転子部を積層して構成され、かつ軸線の中心部に向かうに従ってより前記磁石両端角の大きな前記回転子部が配置されており、
複数の回転子部は、角大回転子部、及びこの角大回転子部よりも前記磁石両端角が小さい角小回転子部の２種類で構成され、前記回転子の軸線に沿って前記角小回転子部、前記角大回転子部及び前記角小回転子部の順序で積層されており、
コギングトルクが最小となる前記磁石両端角の値をθとすると、前記角小回転子部の前記磁石両端角の値は、前記θよりも小さく、前記角大回転子部の前記磁石両端角の値は、前記θよりも大きい回転電機。
【請求項７】
円環状のコアバックから周方向に間隔をおいてそれぞれ径方向内方に延設された各ティースによって形成されたスロットを有する固定子コア、及び各前記スロットに巻装された固定子コイルを有する固定子と、
この固定子の内周側に前記固定子コアと同軸に回転可能に配設された回転子と、を備え、
前記回転子は、軸線方向に沿って貫通した通風路を有する回転子コアと、この回転子コアの外周側に周方向に間隔をおいて複数埋設され１極当り１個の矩形状をした永久磁石と、を有する回転電機であって、
前記永久磁石は、垂直二等分線が前記回転子の軸心を通るように配置され、
前記回転子は、前記永久磁石の最外周側の両端部と前記回転子の軸心とをそれぞれ結ぶ線間の平面角である磁石両端角が異なる複数の回転子部を積層して構成され、かつ前記通風路の上流から下流に向かうにしたがってより、前記磁石両端角の大きな前記回転子部が配置されており、
複数の回転子部は、角大回転子部、及びこの角大回転子部よりも前記磁石両端角が小さい角小回転子部の２種類で構成され、前記上流から前記下流に沿って前記角小回転子部、前記角大回転子部及び前記角小回転子部の順序で積層されており、
コギングトルクが最小となる前記磁石両端角の値をθとすると、前記角小回転子部の前記磁石両端角の値は、前記θよりも小さく、前記角大回転子部の前記磁石両端角の値は、前記θよりも大きい回転電機。
【請求項８】
前記回転子コアは、前記永久磁石を収納するとともに収納した前記永久磁石の両側に空隙部を有する磁石収納孔が形成されている請求項１〜７の何れか１項に記載の回転電機。
【発明の詳細な説明】
【技術分野】
【０００１】
この発明は、例えば電気自動車、ハイブリッド車等の駆動用モータに関し、特に回転子コアの外周部に永久磁石が埋設された回転電機に関するものである。
【背景技術】
【０００２】
従来、永久磁石が１極当り２個Ｖ字状に埋め込まれた回転子コアが、軸方向に分割された第１及び第２の分割回転子コアで構成され、磁路形成部の周方向幅は、第１及び第２の分割回転子コアで異なるように設定された埋込磁石型モータが知られている（例えば、特許文献１参照）。
【先行技術文献】
【特許文献】
【０００３】
【特許文献１】特開２００６-１１５５８４号公報
【発明の概要】
【発明が解決しようとする課題】
【０００４】
上記埋込磁石型モータは、コギングトルクの低減を図ることができるが、軸線方向の中心部の永久磁石については、他の部位と比較して放熱経路が少なく温度が上昇し易いために、永久磁石の温度上昇により減磁してしまうという問題点があった。
また、永久磁石の軸線方向の温度分布が大きい場合に、永久磁石の温度とモータの誘起電圧との間には相間関係があるが、誘起電圧については永久磁石の平均温度による磁束でしか測定できないために軸線方向の永久磁石の温度分布が大きいと、各永久磁石の温度を予測できないという問題点もあった。【０００５】
この発明は、かかる問題点を解決することを課題とするものであって、永久磁石の温度上昇による減磁を抑制し、また軸線方向の永久磁石の温度分布を小さくした回転電気を得る。
【課題を解決するための手段】
【０００６】
この発明に係る回転電機は、各永久磁石群は、１極の周方向中心に対して対称に配置され、回転子は、対向した前記永久磁石のそれぞれの最外周側端部と回転子の軸心とを結ぶ線間の平面角である磁石両端角がそれぞれ異なる複数の回転子部を積層して構成され、かつ軸線の中心部に向かうに従ってより前記磁石両端角の大きな前記回転子部が配置されている。【０００７】
また、この発明に係る回転電機は、各永久磁石群は、１極の周方向中心に対して対称に配置され、回転子は、対向した前記永久磁石のそれぞれの最外周側端部と回転子の軸心とを結ぶ線間の平面角である磁石両端角がそれぞれ異なる複数の回転子部を積層して構成され、かつ通風路の上流から下流に向かうに従ってより前記磁石両端角の大きな前記回転子部が配置されている。
【発明の効果】
【０００８】
この発明に係る回転電機によれば、軸線の中心部に向かうに従って発熱量が小さい、磁石両端角の大きな回転子部が配置されているので、永久磁石の温度上昇による減磁が抑制され、また軸線方向の永久磁石の温度分布を小さくすることができる。【０００９】
また、この発明に係る回転電機によれば、通風路の上流から下流に向かうに従って発熱量が小さい、磁石両端角の大きな回転子部が配置されているので、永久磁石の温度上昇による減磁を抑制し、また軸線方向の永久磁石の温度分布を小さくすることができる。
【図面の簡単な説明】
【００１０】
【図１】この発明の実施の形態１におけるモータを示す要部正断面図である。
【図２】図１のモータを示す要部拡大図である。
【図３】（ａ）は図１の回転子を示す要部側断面図、（ｂ）は図３（ａ）の角小回転子部を示す要部正断面図、（ｃ）は図３（ａ）の角大小回転子部を示す要部正断面図である。
【図４】各周波数成分における磁石両端角とコギングトルク振幅との関係を示す図である。
【図５】磁石両端角と磁石渦電流損当りのトルクとの関係を示す図である。
【図６】図１のモータにおける電気角位置とコギングトルクとの関係を示す図である。
【図７】図１のモータの回転子における熱経路を示す図である。
【図８】図１のモータにおける軸長と永久磁石温度との関係を示す図である。
【図９】この発明の実施の形態２におけるモータを示す要部正断面図である。
【図１０】図９のモータにおける磁石両端角とコギングトルク振幅との関係を示す図である。
【図１１】図９のモータにおける磁石両端角と磁石渦電流損当りのトルクとの関係を示す図である。
【図１２】図９のモータにおける電気角位置とコギングトルクとの関係を示す図である。
【図１３】この発明の実施の形態３におけるモータを示す要部正断面図である。
【図１４】この発明の実施の形態４のモータの回転子における熱経路を示す図である。
【発明を実施するための形態】
【００１１】
以下、この発明の各実施の形態について図に基づいて説明するが、各図において、同一または相当部材、部位については同一符号を付して説明する。
【００１２】
実施の形態１．
図１はこの発明の実施の形態１における回転電機であるモータを示す要部正断面図、図２は図１のモータを示す要部拡大図である。
このモータは、円環状のコアバック４から周方向に間隔をおいてそれぞれ径方向内方に延設された各ティース５によって形成された１２個のスロット６を有する固定子コア３、及び各スロット６に巻装された固定子コイル（図示せず）を有する固定子１と、この固定子１の内周側に固定子コア３と同軸に回転可能に配設された回転子２と、を備えている。
固定子コア３は、薄板鋼板を積層して構成されている。
固定子コイルは、ティース５に券装された３相の巻線（Ｕ相、Ｖ相、Ｗ相）で構成され、各相の巻線の導線の一方はインバータ側に、導線の他方は中性線として他の相の中性線と接続されている。
【００１３】
回転子２は、回転軸７と、この回転軸７に圧入、焼き嵌めもしくはキーなどで固定された回転子コア８と、この回転子コア８の外周側に周方向に間隔をおいて埋設され１極当り２個の矩形状をした、第１の永久磁石１０及び第２の永久磁石１１からなる永久磁石群９と、を有している。
薄板鋼板を積層して構成された回転子コア８には、軸線方向に延び第１の永久磁石１０及び第２の永久磁石１１を収納した複数の磁石収納孔２５が形成されている。各磁石収納孔２５に収納された、第１の永久磁石１０及び第２の永久磁石１１は、径外側方向に沿って互いに周方向の離間距離が拡がって配置されている。
Ｖ形状の永久磁石群９は、図２に示すように周方向に沿ってＮ極とＳ極とが交互に設定されており、図中の矢印は、各永久磁石１０，１１の配向を示している。
なお、磁石収納孔２５の両端部には、空隙部２６が形成されているが、この空隙部２６により、隣接した永久磁石群９間でＮ極から近接したＳ極に直接向かう、所謂洩れ磁束が抑制されている。
【００１４】
図３（ａ）は図１の回転子２を示す要部側断面図、（ｂ）は図３（ａ）の角小回転子部１３を示す要部正断面図、（ｃ）は図３（ａ）のモータの角大回転子部１２を示す要部正断面図である。
回転子２は、対向した第１の永久磁石１０及び第２の永久磁石１１の最外周側の両端部と回転子２の軸心とを結ぶ線間の平面角である磁石両端角θ１，θ２がそれぞれ異なる角小回転子部１３、角大回転子部１２を積層して構成されている。
図３（ｂ）に示す角小回転子部１３の磁石両端角θ１は、図３（ｃ）に示す角大回転子部１２の磁石両端角θ２よりも小さい。
図１のモータの回転子２は、軸線方向に沿って、角小回転子部１３、角大回転子部１２及び角小回転子部１３の順序で３層に積層されている。
【００１５】
上記構成のモータは、固定子１の固定子コイルに三相交流電流を流すことで固定子１には回転磁界が生じ、この回転磁界が回転子２の永久磁石群９を引っ張ることで、回転子２は、回転軸７を中心にして回転する。
【００１６】
図４は、本願発明者が電磁気解析により求めた、各周波数成分における磁石両端角とコギングトルク振幅との関係を示す図である。
図４において、磁石両端角を電気角換算で横軸に示しており、コギングトルクの各周波数成分は電気角１２０度付近（磁石両端角θ３）で最も小さくなり、電気角１２０度以下では正の方向、１２０度以上では負の方向に増加している。
ここで、コギングトルクの正負については、各周波数成分の位相が１８０度反転していることを示したものであり、今回は磁石両端角が電気角１００度の６ｆ成分（ｆ：基本周波数）を正方向と定義して示している。
例えば、磁石両端角が電気角１１０度の回転子と１３０度の回転子とでは、コギングトルク６ｆ、１２ｆ、１８ｆの大きさがほぼ等しく、位相が１８０度反転（正負方向に同じ大きさ）のため、磁石両端角が例えば電気角１１０度のものと１３０度のものとを同じ軸長分積み重ねることにより、コギングトルクは低減される。
【００１７】
図５は、本願発明者が電磁気解析により求めた、磁石両端角と永久磁石の渦電流損当りのトルクとの関係を示す図である。
図５においては、トルク条件１は低回転の場合、トルク条件２は高回転の場合を示しており、２種類の条件は、ともに磁石両端角が電気角で１２３度の場合を基準として示したものである。
同図より、永久磁石の渦電流損当りのトルクはトルク条件によらず単調に増加しており、磁石両端角が大きい程大きくなる。
即ち、磁石両端角θ１が小の角小回転子部１３は、磁石両端角θ２が大の角大回転子部１２よりも発熱量が大である。
【００１８】
次に、磁石両端角が電気角で１２３度のモータと磁石両端角が電気角で１０４度と１３８度の２種類を組み合わせたモータとのそれぞれのコギングトルク波形を図６に示す。
同図の太線は磁石両端角１２３度の回転子であり、破線は磁石両端角１０４度の角小回転子部１３及び磁石両端角１３８度の角大回転子部１２を軸線長が同じで積層した場合を示している。
コギングトルク波形を比較すると、磁石両端角が電気角で１２３度の場合に比べて、角小回転子部１３及び角大回転子部１２を積層したもののほうがコギングトルクは小さくなることが分かる。
【００１９】
次に、回転子２の内部で発生する熱の放熱経路について図７を用いて説明する。
図７はモータを軸線方向に沿った切断断面図であって、この図のモータは、外気とは直接冷却する構成ではなく、所謂全閉モータである。
軸線方向に沿って、角小回転子部１３、角大回転子部１２及び角小回転子部１３の順序で３層に積層された回転子２は、円筒形状のフレーム１５内に収納されている。角大回転子部１２の軸線長さと、一対の角小回転子部１３の合計の軸線長さとは同じである。回転子２は、その回転軸７の両端部が軸受１６を介してフレーム１５に回転自在に支持されている。なお、図中１４は、固定子コイルのコイルエンドである。
【００２０】
回転子２の角大回転子部１２の熱は、主に放熱経路イに示すように回転軸７に伝わり、回転軸７を通じて外部に放出される。
一方、回転子２の角小回転子部１３の熱は、回転軸７の放熱路イを通じて外部に放熱されるとともに、放熱経路ロに示すように直接周囲の空気中に放出され、空気、フレーム１５等を介して外部に放熱される。
なお、固定子１と回転子２との間にも隙間１７が存在しているため、回転子２の発熱の一部は隙間１７を介しても外部に放熱される。
【００２１】
このように、回転子２の両側に配置された角小回転子部１３では、放熱経路イ，ロがあるのに対して、回転子２の中間部に配置された角大回転子部１２では放熱経路イが主である。
【００２２】
ところで、回転子の軸線方向の長さが長い場合であって、磁石両端角の電気角が軸線に沿って一律の場合の回転子を用いた場合に、回転子の中間部では、両側と比較して放熱経路が制約され、両側と比較して温度が高くなってしまう。
一方で、ネオジムを用いた永久磁石では、高温になるほど減磁してしまうという課題があり、また固定子１で発生する固定子コイルの磁束によって発生する永久磁石渦電流損失は、軸線方向位置によって変わらない。
そのため、回転子の軸線方向の中央部では放熱経路が少ないために、永久磁石温度が高くなってしまい、永久磁石が減磁し易くなる。
【００２３】
これに対して、この実施の形態のモータでは、発熱量が角大回転子部１２よりも大きい角小回転子部１３を、放熱経路イ，ロを有し放熱性の優れた回転子２の両側に配置し、発熱量が角小回転子部１３よりも小さい角大回転子部１２を、放熱性の劣った回転子２の中間部に配置している。
従って、回転子２の軸線方向の中間部での温度上昇を抑えることができ、かつ発熱量が大きい角小回転子部１３からの熱も放熱経路イ，ロから効率よく放出される。
【００２４】
図８は、磁石両端角θ１が電気角で１２３度の場合の角小回転子部１３と、磁石両端角θ２が電気角で１３８度の場合の角大回転子部１２とを、角小回転子部１３、角大回転子部１２及び角小回転子部１３の順序で積層した、実施の形態１のモータと、軸線方向に沿って磁石両端角が電気角１２３度で一律の比較例のモータとにおいて、軸長と永久磁石温度との関係を示した図である。
図８から分かるように、実施の形態１のモータは、比較例のモータと比較して軸線方向の永久磁石１０，１１の温度分布を小さくすることができ、かつ図６に示すように、コギングトルクを低減することができる。
【００２５】
また、永久磁石１０，１１の最高温度を低減することができるため、局所的な発熱による磁石減磁を抑えることができる。
また、モータの永久磁石温度を磁束でモニタする場合には、磁束量はモータの平均温度（図８に図示）でしかモニタできない。
このため、比較例のモータの場合には永久磁石の軸線方向の温度分布が大きく、最高温度と平均温度の差が大きくなってしまうが、実施の形態１のモータでは、永久磁石１０，１１の最高温度と平均温度の差が小さいため、モータの誘起電圧や磁束量から永久磁石１０，１１の温度を推定することが容易となる。
【００２６】
実施の形態２．
図９はこの発明の実施の形態２におけるモータを示す要部正断面図である。
この実施の形態では、回転子２は、回転子コア８と、この回転子コア８の外周側に周方向に間隔をおいて埋設された１極当り１個の矩形状をした複数の永久磁石１８と、を有している。
薄板鋼板を積層して構成された回転子コア８には、軸線方向に延びた永久磁石１８を収納した複数の磁石収納孔２５が形成されている。各磁石収納孔２５に収納された永久磁石１８は、永久磁石１８の垂直二等分線が回転子２の軸心を通るように配置されている。
永久磁石１８は、周方向に沿ってＮ極とＳ極とが交互に設定されている。
なお、磁石収納孔２５の両端部には、空隙部２６が形成されているが、この空隙部２６により、隣接した永久磁石１８間でＮ極から近接したＳ極に直接向かう、所謂洩れ磁束が抑制される。
【００２７】
回転子２は、永久磁石１８の最外周側の両端部と回転子２の軸心とをそれぞれ結ぶ線間の平面角である磁石両端角θが異なる２種類の回転子部を積層して構成されている。
この実施の形態の回転子２は、実施の形態１と同様に、角小回転子部１３、角大回転子部１２及び角小回転子部１３の順序で３層に積層されている。
他の構成は、実施の形態１のモータと同じである。
【００２８】
図１０は、永久磁石１８を有する回転子２において、各周波数成分における磁石両端角とコギングトルク振幅との関係を示す図である。
図１０から分かるように、コギングトルクは各々の周波数ともに磁石両端角θ３が１２３度付近で最も小さくなっており、磁石両端角がθ３以上ではコギングトルクが負に増加、磁石両端角がθ３以下では、コギングトルクが正に増加している。
また、磁石渦電流損当りのトルクと磁石両端角との関係を図１１に示す。
なお、トルク条件１は低回転時の場合を示しており、トルク条件２は高回転時の場合を示しており、磁石渦電流損当りのトルクで値が大きいほど、トルク当りの磁石発熱量が小さいことを示している。
同図に示すように、磁石両端角１２０度付近が最も磁石渦電流損当りのトルクが小さく、１２０度よりも小さい場合、大きい場合ともに永久磁石１８の渦電流損当りのトルクが大きくなっていることが分かる。
即ち、磁石両端角１２０度付近が最も発熱量が大である。また、トルク条件２（高回転時）では、磁石両端角が１２０度よりも大きい場合の方が小さい場合と比較して、磁石渦電流損当りのトルクの増加率が大きい。
【００２９】
図１２は、磁石両端角が電気角で１２０度の回転子を有するモータと、磁石両端角が電気角で１０４度の角小回転子部１３及び磁石両端角が１３８度の角大回転子部１２を軸線長さが同じで積層したモータとのそれぞれのコギングトルク波形を示す図である。
実施の形態１のモータと同様に、角小回転子部１３と角大回転子部１２とを軸線方向の長さにおいて１:１で組合せた場合を示している。
この図からコギングトルクは、この実施の形態のモータが磁石両端角一律のモータと比較して小さくことが分かる。
【００３０】
この実施の形態のモータでは、軸線方向に沿って角小回転子部１３、角大回転子部１２及び角小回転子部１３の順序で３層に積層されており、放熱効率が悪い回転子２の中間部に、高回転時において特に発熱量が角小回転子部１３と比較して小さい角大回転子部１２を配置したので、実施の形態１と同様に、回転子２の軸線方向の温度分布が小さくなり、また局所的な熱減磁を抑制することができる。
また、角大回転子部１２の磁石両端角は１３０度、角小回転子部１３の磁石両端角は１１０度であり、それぞれの磁石両端角は、コギングトルクが最小となる磁石両端角１２３度を挟んだ値であり、モータのコギングを大幅に低減することができる。
【００３１】
実施の形態３．
図１３はこの発明の実施の形態３におけるモータを示す要部正断面図である。
回転子２は、回転軸７と、この回転軸７に圧入、焼き嵌めもしくはキーなどで固定された回転子コア８と、この回転子コア８の外周側に周方向に間隔をおいて埋設され１極当り３個の矩形状をした、第１の永久磁石３０、第２の永久磁石３１及び第３の永久磁石３２からなる永久磁石群３３と、を有している。
薄板鋼板を積層して構成された回転子コア８には、軸線方向に延び第１の永久磁石３０、第２の永久磁石３１及び第３の永久磁石３２を収納した複数の磁石収納孔２５が形成されている。第２の永久磁石３１の両側に位置した第１の永久磁石３０及び第３の永久磁石３２は、径外側方向に沿って互いに周方向の離間距離が拡がって対向している。
凹部形状の永久磁石群３３は、図１３に示すように周方向に沿ってＮ極とＳ極とが交互に設定されており、図中の矢印は、各永久磁石３０，３１，３２の配向を示している。
なお、磁石収納孔２５の両端部には、空隙部２６が形成されているが、この空隙部２６により、隣接した永久磁石群３３間でＮ極から直ぐに近接したＳ極に向かう洩れ磁束が抑制される。
【００３２】
回転子２は、永久磁石群３３の最外周側の両端部と回転子２の軸心とをそれぞれ結ぶ線間の平面角である磁石両端角が異なる２種類の角大回転子部１２、角小回転子部１３を積層して構成されている。
この実施の形態の回転子２は、軸線方向に沿って角小回転子部１３、角大回転子部１２及び角小回転子部１３の順序で３層に積層されている。
また、角大回転子部１２及び角小回転子部１３のそれぞれの磁石両端角の値は、コギングトルクが最小となる磁石両端角を挟んだ値である。
他の構成は、実施の形態１のモータと同じである。
【００３３】
この実施の形態のモータも、実施の形態１と同様に、回転子２の軸線方向の温度分布が小さくなり、また局所的な熱減磁を抑制することができる。
また、角大回転子部１２及び角小回転子部１３のそれぞれの磁石両端角の値は、コギングトルクが最小となる磁石両端角を挟んだ値であり、モータのコギングを大幅に低減することができる。
【００３４】
実施の形態４．
図１４は、実施の形態４のモータを軸線方向に沿って切断した切断断面図である。
軸線方向に沿って、角小回転子部１３及び角大回転子部１２が２層で積層された回転子２は、円筒形状のフレーム１５内に収納されている。回転子２は、その回転軸７の両端部が軸受１６を介してフレーム１５に回転自在に支持されている。角小回転子部１３及び角大回転子部１２のそれぞれの軸線方向の長さは同一である。
回転子２は、その回転子コア８の両側端面に冷却用ファン（図示せず）が固定されている。また、永久磁石群９の内側には、軸線方向に延びた通風路２０が周方向に等分間隔をおいて複数形成されている。
フレーム１５の内壁面には、軸線方向に延びた溝２１が周方向に等分間隔をおいて複数形成されている。
【００３５】
冷却用ファンの回転により生じた冷却風ハは、途中、ガイド１９に案内されて通風路２０、溝２１及び通風路２０を循環し、回転子２及び固定子１からの熱は、フレーム１５を通じて外部に放出される。
【００３６】
この実施の形態の角小回転子部１３は、永久磁石群９を有した実施の形態１の角小回転子部１３と同一であり、また角大回転子部１２は、永久磁石群９を有した実施の形態１の角大回転子部１２と同一である。
ここで、実施の形態１で示したように、角小回転子部１３の発熱量は、角大回転子部１２の発熱量よりも大きく、冷却風ハの上流側に角小回転子部１３が配置され、下流側に角大回転子部１２が配置されている。
他の構成は、実施の形態１のモータと同じである。
【００３７】
この実施の形態によるモータによれば、発熱量が大きい角小回転子部１３が冷却風ハの上流側に配置されており、角小回転子部１３は、冷却風ハの温度が低い上流側で冷却されるので、より効率良く冷却され、角小回転子部１３の温度上昇が抑制される。
従って、実施の形態１と同様に、回転子２の軸線方向の温度分布が小さくなり、また局所的な熱減磁を抑制することができる。
また、永久磁石群９の最高温度と平均温度の差が少ないため、モータの誘起電圧や磁束量から永久磁石１０，１１の温度を推定することが容易となる。
また、角大回転子部１２及び角小回転子部１３のそれぞれの磁石両端角の値は、コギングトルクが最小となる磁石両端角を挟んだ値であり、モータのコギングを大幅に低減することができる。
【００３８】
なお、この実施の形態では、永久磁石群９を有した、角小回転子部１３及び角大回転子部１２を用いたが、実施の形態２で示したように、１極当り１個の矩形状の永久磁石１８を用いたものであってもよい。
この場合には、永久磁石１８の渦電流損失当りのトルクの最小値は図１１に示すように、磁石両端角１２０度付近が最も小さい。つまり、トルク当りの渦電流損失で見ると磁石両端角１２０度が最も大きくなる。
従って、磁石両端角１１０度と１３０度を組み合わせる場合には、冷却風の上流側に磁石の渦電流損失が大きい磁石両端角の回転子コアを、冷却風の下流側に永久磁石の渦電流損が小さい磁石両端角の回転子コアを配置すればよい。
また、実施の形態３で示した永久磁石群３３を有する角小回転子部１３及び角大回転子部１２のように、１極当り３個の矩形状の永久磁石３０，３１，３２からなる永久磁石群３３を有する角小回転子部１３及び角大回転子部１２であっても、上流側に角小回転子部１３を、下流側に角小回転子部１３と同軸長の角大回転子部１２を配置した回転子２でもよい。
【００３９】
なお、上記実施の形態１〜３の回転子２は、角小回転子部１３、角大回転子部１２及び角小回転子部１３の順で３層に積層したものであったが、例えば磁石両端角が異なる、角小回転子部、角中回転子部及び角大回転子部の３種類の回転子部を揃え、角小回転子部、角中回転子部、角大回転子部、角中回転子部及び角小回転子部を積層した５層の回転子部からなる回転子であってもよい。なお、ここで、角中回転子部は、磁石両端角の大きさが、角大回転子部の磁石両端角と角小回転子部の磁石両端角との間のものをいう、
また、上記各実施の形態では、回転電機としてモータの場合について説明したが、この発明は発電機にも適用できる。
【符号の説明】
【００４０】
１  固定子、２  回転子、３  固定子コア、４  コアバック、５  ティース、６  スロット、７  回転軸、８  固定子コア、９，３３  永久磁石群、１０  第１の永久磁石、１１  第２の永久磁石、１２  角大回転子部、１３  角小回転子部、１４  コイルエンド、１５  フレーム、１６  軸受、１７  隙間、１８  永久磁石、１９  ガイド、２０  通風路、２１  溝、２５  磁石収納孔、２６  空隙部、３０  第１の永久磁石、３１  第２の永久磁石、３２  第３の永久磁石、イ、ロ  放熱経路、ハ  冷却風。
【図１】
0005951131.tif 000002
【図２】
0005951131.tif 000003
【図３】
0005951131.tif 000004
【図４】
0005951131.tif 000005
【図５】
0005951131.tif 000006
【図６】
0005951131.tif 000007
【図７】
0005951131.tif 000008
【図８】
0005951131.tif 000009
【図９】
0005951131.tif 000010
【図１０】
0005951131.tif 000011
【図１１】
0005951131.tif 000012
【図１２】
0005951131.tif 000013
【図１３】
0005951131.tif 000014
【図１４】
0005951131.tif 000015